(57)【要約】      （修正有）【課題】カーテンスクリーンの様々な折り畳み状態に応じて露出部分のパターンの組み合わせに関連性を有し、連続した視覚的効果が得られるスクリーン構造を提供する。【解決手段】スクリーン構造は、スクリーン１、第１の図面２、第２の図面３、複数の連続図面４及び複数の重ね合わせユニット５を備える。スクリーンは、外端面１１及び内端面１２を有するとともに、複数のブロックに区分けされ、最上端のブロックにより第１の面体１３が画成され、最底端のブロックにより第２の面体１４が画成され、中段部分のブロックにより複数の接続面体１５が画成される。スクリーンは、第１、第２の面体及び各接続面体が折り畳んで互いに重ねられて束ねられる。第１の図面は、第１の面体の外端面に設けられ、その全体は所定のパターンに成形される。第２の図面は、第２の面体の外端面に設けられるとともに、第１の図面の所定のパターンと組み合わされる。【選択図】図４
0003215997.tif 000002
【実用新案登録請求の範囲】
【請求項１】
スクリーン、第１の図面、第２の図面、複数の連続図面及び複数の重ね合わせユニットを備えた、関連した組み合わせ図形を有するスクリーン構造であって、
前記スクリーンは、外端面及び内端面を有するとともに、複数のブロックに区分けされ、最上端のブロックにより第１の面体が画成され、最底端のブロックにより第２の面体が画成され、中段部分のブロックにより複数の接続面体が画成され、前記第１の面体、前記第２の面体及び各前記接続面体が折り畳んで互いに重ねられると、前記スクリーンが重ねて束ねられ、
前記第１の図面は、前記第１の面体の外端面に設けられ、その全体は所定のパターンに成形され、
前記第２の図面は、前記第２の面体の外端面に設けられるとともに、前記第１の図面の所定のパターンと組み合わされ、前記第１の図面の下縁に関連性のあるパターンが成形され、
前記連続図面は、各前記接続面体にそれぞれ設けられるとともに、互いに関連性があるように接続され、各前記連続図面は、前記第１の図面と関連性のあるパターンに成形され、各前記連続図面は、前記第２の図面と関連性のあるパターンに成形され、
各前記重ね合わせユニットは、前記第１の面体、前記第２の面体及び各前記接続面体の間にそれぞれ設けられるとともに、結合端及び合わせ端を有し、前記重ね合わせユニットの前記結合端は、前記重ね合わせユニットの前記合わせ端に取り付けられて位置決めされ、
前記重ね合わせユニットのそれぞれは、互いに重ねて前記第１の図面と前記第２の図面とを接続し、前記重ね合わせユニットを積層して前記第１の図面と前記第２の図面との間に挿入する各前記連続図面を増やすか減らし、積層数に応じて前記スクリーンのパターンを組み合わせることを特徴とする関連した組み合わせ図形を有するスクリーン構造。
【請求項２】
前記スクリーンは、生地、絹、紙、プラスチック片、糸、人造繊維又はそれらの組み合わせからなることを特徴とする請求項１に記載の関連した組み合わせ図形を有するスクリーン構造。
【請求項３】
前記第１の図面、前記第２の図面及び各前記連続図面は、前記スクリーンの前記内端面に増設され、反転して使用することを特徴とする請求項１に記載の関連した組み合わせ図形を有するスクリーン構造。
【請求項４】
前記第１の面体、前記第２の面体及び各前記接続面体の前記第１の図面、前記第２の図面及び各前記連続図面の関連性のあるパターンは、連続して延びたパターン、連続して延びてないパターン及びこれらの組み合わせからなるもののうちの何れか１つであることを特徴とする請求項１に記載の関連した組み合わせ図形を有するスクリーン構造。
【請求項５】
前記第１の面体、前記第２の面体及び各前記接続面体には、第３の図面が増設され、関連性の無いパターンが成形されることを特徴とする請求項１に記載の関連した組み合わせ図形を有するスクリーン構造。
【請求項６】
前記重ね合わせユニットの前記結合端及び前記合わせ端の組み合わせ方式は、磁気吸引方式、面ファスナ方式、掛止方式、掛設方式及びこれらの組み合わせからなるもののうちの何れか１つであることを特徴とする請求項１に記載の関連した組み合わせ図形を有するスクリーン構造。
【請求項７】
前記スクリーンの前記第１の面体の上端には、取付け領域が設けられ、吊下方式、螺着方式、接着方式及びこれらの組み合わせからなるもののうちの何れか１つの方式で固定されることを特徴とする請求項１に記載の関連した組み合わせ図形を有するスクリーン構造。
【請求項８】
前記第２の面体の下端には、引っ張り部が設けられ、
前記引っ張り部の重量により前記第２の面体が引っ張り下げられると、前記スクリーンが重ねられていない場所が平坦となることを特徴とする請求項１に記載の関連した組み合わせ図形を有するスクリーン構造。
【請求項９】
前記スクリーンの前記第１の面体、前記第２の面体及び各前記接続面体は、異なる材料により組み立てられて結合されることを特徴とする請求項１に記載の関連した組み合わせ図形を有するスクリーン構造。
【請求項１０】
前記スクリーンは、前記第１の図面、前記第２の図面及び各前記連続図面が重ねられたときにパターンが重なる透明材料からなることを特徴とする請求項１に記載の関連した組み合わせ図形を有するスクリーン構造。
【考案の詳細な説明】
【技術分野】
【０００１】
本考案は、関連した組み合わせ図形を有するスクリーン構造に関するものであり、さらに詳しくは、折り畳んで束ねることができるカーテンスクリーンの様々な折り畳み状態に応じてスクリーンのパターン部分を遮蔽し、遮蔽されていない部分のパターン組み合わせに関連性を持たせ、そのスクリーンのパターンは、折り畳んだときに露出しているパターンが依然として関連性を有するため連続した視覚的効果が得られる、関連した組み合わせ図形を有するスクリーン構造に関するものである。
【背景技術】
【０００２】
日常生活で使用するカーテン、シャッターカーテン又はシャワーカーテンは、主に光線調整、絶縁断熱、プライバシー保護、住居環境の美化などの機能を有する。従来のスクリーンは、主に布、絹、糸、木、竹、ビーズ、プラスチック、人造繊維、防火材料などからなり、カーテンの種類に応じて開く方式が異なるものであった。従来の折り畳み式カーテンは、磁気吸着方式又は面ファスナ方式によりカーテンを上方へ折り畳んで固定するものであり、コードロックが無いためその安全性は高めで、構造が簡素で、耐久性及び外観が良く、その応用範囲は広いものであった。子どもがいる家庭では、カーテンの引き紐が引き起こす事故を防ぐために折り畳み式カーテンが使用されるケースが多くなっている。そのため、折り畳み式カーテンの使用者は、毎年増え続け、従来のカーテンの布面の大部分は、染色、印刷又は織ってパターンを作っていたが、これにより環境美化、遮蔽及び日焼け止めの効果があった。
【０００３】
上述したことから分かるように、従来のカーテンスクリーンの色及び模様は、カーテンが開かれたときに全体面が現れるが、折り畳まれると、カーテンの折り畳み方式により制限を受け、一部のカーテンだけ折り畳まれると、カーテン面が遮蔽されて表れる絵柄模様が不完全な状態になりやすく、市販されているカーテンのパターンの大部分は連続した絵柄で表示され、パターンの一部が遮られてパターンが不完全となるとそれを見た看者が不安になることがあるため、市販されているカーテン生地のスタイル及びパターンはどれも似たようなものとなり、購入できる選択肢が少なく、自宅の内装に合ったカーテンを選択することが困難であるという問題点があり、改善が求められていた。
【考案の概要】
【考案が解決しようとする課題】
【０００４】
従って、本考案の主な課題は、折り畳んで束ねることができるカーテンスクリーンの様々な折り畳み状態に応じてスクリーンのパターン部分を遮蔽し、遮蔽されていない部分のパターンの組み合わせに関連性を持たせ、そのスクリーンのパターンは、折り畳んだときに露出しているパターンが依然として関連性を有するため連続した視覚的効果が得られるように構成されてなる関連した組み合わせ図形を有するスクリーン構造を提供することにある。
【課題を解決するための手段】
【０００５】
そこで、本考案者は、前記の本考案の課題を解決するため鋭意、検討を重ねた結果、詳しく後述するように、スクリーン、第１の図面、第２の図面、複数の連続図面及び複数の重ね合せユニットを備えることにより関連した組み合せ図形を有するスクリーン構造が、前記の課題を解決できる点に着目し、かかる知見に基いて、本考案に想到するに至った。
【０００６】
すなわち上記課題を解決するために、本考案の一実施形態によれば、スクリーン、第１の図面、第２の図面、複数の連続図面及び複数の重ね合わせユニットを備えた、関連した組み合わせ図形を有するスクリーン構造であって、前記スクリーンは、外端面及び内端面を有するとともに、複数のブロックに区分けされ、最上端のブロックにより第１の面体が画成され、最底端のブロックにより第２の面体が画成され、中段部分のブロックにより複数の接続面体が画成され、前記第１の面体、前記第２の面体及び各前記接続面体が折り畳んで互いに重ねられると、前記スクリーンが重ねて束ねられ、前記第１の図面は、前記第１の面体の外端面に設けられ、その全体は所定のパターンに成形され、前記第２の図面は、前記第２の面体の外端面に設けられるとともに、前記第１の図面の所定のパターンと組み合わされ、前記第１の図面の下縁に関連性のあるパターンが成形され、前記連続図面は、各前記接続面体にそれぞれ設けられるとともに、互いに関連性があるように接続され、各前記連続図面は、前記第１の図面と関連性のあるパターンに成形され、各前記連続図面は、前記第２の図面と関連性のあるパターンに成形され、各前記重ね合わせユニットは、前記第１の面体、前記第２の面体及び各前記接続面体の間にそれぞれ設けられるとともに、結合端及び合わせ端を有し、前記重ね合わせユニットの前記結合端は、前記重ね合わせユニットの前記合わせ端に取り付けられて位置決めされ、前記重ね合わせユニットのそれぞれは、互いに重ねて前記第１の図面と前記第２の図面とを接続し、前記重ね合わせユニットを積層して前記第１の図面と前記第２の図面との間に挿入する各前記連続図面を増やすか減らし、積層数に応じて前記スクリーンのパターンを組み合わせることを特徴とする関連した組み合わせ図形を有するスクリーン構造が提供される。
【０００７】
かくして本考案の要旨は、次の（１）〜（１０）に記載の通りのものである。
（１）スクリーン、第１の図面、第２の図面、複数の連続図面及び複数の重ね合わせユニットを備えた、関連した組み合わせ図形を有するスクリーン構造であって、
前記スクリーンは、外端面及び内端面を有するとともに、複数のブロックに区分けされ、最上端のブロックにより第１の面体が画成され、最底端のブロックにより第２の面体が画成され、中段部分のブロックにより複数の接続面体が画成され、前記第１の面体、前記第２の面体及び各前記接続面体が折り畳んで互いに重ねられると、前記スクリーンが重ねて束ねられ、
前記第１の図面は、前記第１の面体の外端面に設けられ、その全体は所定のパターンに成形され、
前記第２の図面は、前記第２の面体の外端面に設けられるとともに、前記第１の図面の所定のパターンと組み合わされ、前記第１の図面の下縁に関連性のあるパターンが成形され、
前記連続図面は、各前記接続面体にそれぞれ設けられるとともに、互いに関連性があるように接続され、各前記連続図面は、前記第１の図面と関連性のあるパターンに成形され、各前記連続図面は、前記第２の図面と関連性のあるパターンに成形され、
各前記重ね合わせユニットは、前記第１の面体、前記第２の面体及び各前記接続面体の間にそれぞれ設けられるとともに、結合端及び合わせ端を有し、前記重ね合わせユニットの前記結合端は、前記重ね合わせユニットの前記合わせ端に取り付けられて位置決めされ、
前記重ね合わせユニットのそれぞれは、互いに重ねて前記第１の図面と前記第２の図面とを接続し、前記重ね合わせユニットを積層して前記第１の図面と前記第２の図面との間に挿入する各前記連続図面を増やすか減らし、積層数に応じて前記スクリーンのパターンを組み合わせることを特徴とする関連した組み合わせ図形を有するスクリーン構造。
【０００８】
（２）前記スクリーンは、生地、絹、紙、プラスチック片、糸、人造繊維又はそれらの組み合わせからなることを特徴とする前記（１）に記載の関連した組み合わせ図形を有するスクリーン構造。
【０００９】
（３）前記第１の図面、前記第２の図面及び各前記連続図面は、前記スクリーンの前記内端面に増設され、反転して使用することを特徴とする前記（１）に記載の関連した組み合わせ図形を有するスクリーン構造。
【００１０】
（４）前記第１の面体、前記第２の面体及び各前記接続面体の前記第１の図面、前記第２の図面及び各前記連続図面の関連性のあるパターンは、連続して延びたパターン、連続して延びてないパターン及びこれらの組み合わせからなるもののうちの何れか１つであることを特徴とする前記（１）に記載の関連した組み合わせ図形を有するスクリーン構造。
【００１１】
（５）前記第１の面体、前記第２の面体及び各前記接続面体には、第３の図面が増設され、関連性の無いパターンが成形されることを特徴とする前記（１）に記載の関連した組み合わせ図形を有するスクリーン構造。
【００１２】
（６）前記重ね合わせユニットの前記結合端及び前記合わせ端の組み合わせ方式は、磁気吸引方式、面ファスナ方式、掛止方式、掛設方式及びこれらの組み合わせからなるもののうちの何れか１つであることを特徴とする前記（１）に記載の関連した組み合わせ図形を有するスクリーン構造。
【００１３】
（７）前記スクリーンの前記第１の面体の上端には、取付け領域が設けられ、吊下方式、螺着方式、接着方式及びこれらの組み合わせからなるもののうちの何れか１つの方式で固定されることを特徴とする前記（１）に記載の関連した組み合わせ図形を有するスクリーン構造。
【００１４】
（８）前記第２の面体の下端には、引っ張り部が設けられ、
前記引っ張り部の重量により前記第２の面体が引っ張り下げられると、前記スクリーンが重ねられていない場所が平坦となることを特徴とする前記（１）に記載の関連した組み合わせ図形を有するスクリーン構造。
【００１５】
（９）前記スクリーンの前記第１の面体、前記第２の面体及び各前記接続面体は、異なる材料により組み立てられて結合されることを特徴とする前記（１）に記載の関連した組み合わせ図形を有するスクリーン構造。
【００１６】
（１０）前記スクリーンは、前記第１の図面、前記第２の図面及び各前記連続図面が重ねられたときにパターンが重なる透明材料からなることを特徴とする前記（１）に記載の関連した組み合わせ図形を有するスクリーン構造。
【考案の効果】
【００１７】
本考案の関連した組み合わせ図形を有するスクリーン構造は、折り畳んで束ねることができるカーテンスクリーンの様々な折り畳み状態に応じてスクリーンのパターン部分を遮蔽し、遮蔽されていない部分のパターン組み合わせに関連性を持たせ、そのスクリーンのパターンは、折り畳んだときに露出しているパターンが依然として関連性を有するため連続した視覚的効果が得られる。
【図面の簡単な説明】
【００１８】
【図１】図１は、本考案の第１実施形態に係る関連した組み合わせ図形を有するスクリーン構造を示す斜視図である。
【図２】図２は、本考案の第１実施形態に係る関連した組み合わせ図形を有するスクリーン構造を示す正面図である。
【図３】図３は、本考案の第１実施形態に係る関連した組み合わせ図形を有するスクリーン構造の重ね合わせユニットを示す分解斜視図である。
【図４】図４は、本考案の第１実施形態に係る関連した組み合わせ図形を有するスクリーン構造の使用状態の説明図（１）である。
【図５】図５は、本考案の第１実施形態に係る関連した組み合わせ図形を有するスクリーン構造の使用状態の説明図（２）である。
【図６】図６は、本考案の第１実施形態に係る関連した組み合わせ図形を有するスクリーン構造の使用状態の拡大図である。
【図７】図７は、本考案の第２実施形態に係る関連した組み合わせ図形を有するスクリーン構造を示す斜視図である。
【図８】図８は、本考案の第２実施形態に係る関連した組み合わせ図形を有するスクリーン構造の使用状態の説明図（１）である。
【図９】図９は、本考案の第２実施形態に係る関連した組み合わせ図形を有するスクリーン構造の使用状態の説明図（２）である。
【考案を実施するための好ましい形態】
【００１９】
（第１実施形態）
まず、図１〜図６を参照する。図１〜図６に示すように、本考案の第１実施形態に係る関連した組み合わせ図形を有するスクリーン構造は、スクリーン１、第１の図面２、第２の図面３、複数の連続図面４及び複数の重ね合わせユニット５から構成されてなる。
【００２０】
スクリーン１は、外端面１１及び内端面１２を有するとともに、複数のブロックに区分けされ、最上端のブロックは第１の面体１３を画成し、最底端のブロックは第２の面体１４を画成する。その中段部分のブロックは複数の接続面体１５を画成する。第１の面体１３、第２の面体１４及び各接続面体１５を折り畳むと、スクリーン１を重ねて束ねることができる。
【００２１】
第１の図面２は、第１の面体１３の外端面１１に設けられ、その全体は所定のパターンに成形される。
【００２２】
第２の図面３は、第２の面体１４の外端面１１に設けられるとともに、第１の図面２の所定のパターンと組み合わせ、第１の図面２の下縁に関連性のあるパターンが成形される。
【００２３】
各連続図面４は、各接続面体１５に設けられるとともに、互いに関連性があるように接続される。各連続図面４は、第１の図面２と関連性のあるパターンに成形される。各連続図面４は、第２の図面３と関連性のあるパターンに成形される。
【００２４】
各重ね合わせユニット５は、第１の面体１３、第２の面体１４及び各接続面体１５の間にそれぞれ設けられるとともに、結合端５１及び合わせ端５２を有し、重ね合わせユニット５の結合端５１を、重ね合わせユニット５の合わせ端５２に取り付けて位置決めする。
【００２５】
各重ね合わせユニット５は、互いに重ねて第１の図面２と第２の図面３とを接続させる。重ね合わせユニット５を積層して第１の図面２と第２の図面３との間に挿入する各連続図面４を増やすか減らし、積層数に応じてスクリーン１のパターンを組み合わせてもよい。
【００２６】
以下、上述した構造について詳細に説明する。
【００２７】
スクリーン１は、生地、絹、紙、プラスチック片、糸、人造繊維又はそれらの組み合わせからなる。
【００２８】
第１の図面２、第２の図面３及び各連続図面４は、スクリーン１の内端面１２に増設され、反転して使用することができる。
【００２９】
第１の面体１３、第２の面体１４及び各接続面体１５の第１の図面２、第２の図面３及び各連続図面４の関連性のあるパターンは、連続して延びたパターン、連続して延びてないパターン及びこれらの組み合わせからなるもののうちの何れか１つである。
【００３０】
重ね合わせユニット５の結合端５１及び合わせ端５２の組み合わせ方式は、磁気吸着方式、面ファスナ方式、掛止方式、掛設方式及びこれらの組み合わせからなるもののうちの何れか１つである。
【００３１】
スクリーン１の第１の面体１３の上端には、取付け領域１３１が設けられ、吊下方式、螺着方式、接着方式及びこれらの組み合わせからなるもののうちの何れか１つの方式で固定される。
【００３２】
第２の面体１４の下端には、引っ張り部１４１の重量により第２の面体１４が引っ張り下げられ、スクリーン１が重ねられていない場所を平坦状態にする引っ張り部１４１が設けられてもよい。
【００３３】
スクリーン１の第１の面体１３、第２の面体１４及び各接続面体１５は、異なる材料により組み立てられて結合されてもよい。
【００３４】
スクリーン１は、第１の図面２、第２の図面３及び各連続図面４を重ねたときにパターンが重なった効果が得られるように、透明材料からなってもよい。
【００３５】
本考案を実際に使用する際、第１の面体１３の取付け領域１３１を壁面又は窓上に固定し、必要に応じて各重ね合わせユニット５を折り畳んで重ねた状態にするとともに、積層状態に応じて各接続面体１５を折り畳んで重ねて遮蔽する連続図面４は、折り畳んで重ねた状態に基づき、少なくとも１つの連続図面４を遮蔽し、その遮蔽部分の連続図面４の上下端の第１の面体１３、第２の面体１４又は接続面体１５を結合し、遮蔽されていないパターン全体は、依然として連続性を有するため目障りにならず、各重ね合わせユニット５は磁気吸着方式により互いに結合することができて使用し易い上、重ね合わせユニット５は、スクリーン１の内端面１２に縫製するか夾層に縫製するため、パターン全体に悪影響を与えない。
【００３６】
（第２実施形態）
図７〜図９を参照する。図７〜図９に示すように、本考案の第２実施形態に係る関連した組み合わせ図形を有するスクリーン構造は、スクリーン１、第１の図面２、第２の図面３、複数の連続図面４及び複数の重ね合わせユニット５から構成されてなる。スクリーン１、第１の図面２、第２の図面３、各連続図面４及び各重ね合わせユニット５のそれぞれの構造については既に述べているため、ここでは繰り返して述べない。
【００３７】
まず、第１の面体１３、第２の面体１４及び各接続面体１５に第３の図面６を増設し、関連性の無いパターンを成形してもよい。スクリーンが有する重ね合わせユニット５は、掛止方式（例えば、スナップボタン、ばね止めなど）で固定してもよく、スクリーン１を複数のブロックに分けて上端に第１の面体１３を画成し、下端に第２の面体１４を画成するとともに、中段部分のブロックは、各接続面体１５を画成する。スクリーン１の第１の面体１３、第２の面体１４及び各接続面体１５は、折り畳んで互いに積層して束ねる。スクリーン１には、パターンが設けられ、スクリーン１の第１の面体１３、第２の面体１４及び各接続面体１５に基づいて第１の図面２、第２の図面３、各連続図面４を画成し、各重ね合わせユニット５により折り畳んで重ねるときに固定作用が得られるとともに、必要に応じて折り畳み、第１の図面２を第２の図面３に結合するか、中間に各連続図面４を装入し、様々な結合方式により対応した所定パターンを形成する。
【００３８】
第１の図面２、第２の図面３及び各連続図面４のパターンは、関連性があるように互いに接続され、連続して延びたパターン（例えば木の枝・幹）で表されるとともに、第１の面体１３、第２の面体１４及び各接続面体１５に表示し、実際に使用する際、上方へ折り畳んで異なる高さになるとき、全体のパターンが連続パターンで表示される。また、連続かつ非延伸のパターン（例えば図の雲）が成形され、各第１の面体１３、第２の面体１４及び各接続面体１５の間に設けられているため、一旦束ねられて重ね合わせユニット５に結合される。そのパターンは、異なる積層方式を提供して同じ態様で表される。
【００３９】
また、各図面に非関連性の第３の図面６を増やして（例えば図７のカモメのパターン）娯楽性を高めて使用者の興味を引き立て、上方へ重ねて第３の図面６を有する接続面体１５を遮蔽し、第３の図面６を隠す。使用者が第３の図面６の内容を外側でも鑑賞できるものに変える場合、スクリーン１を開いて完全なパターンを表す。また、第３の図面６を有する接続面体１５以外の他の接続面体１５は、重ねてそのパターンを隠すことができ、第３の図面６を有する接続面体１５が成形されるため、使用者は上向きに折り畳む程度に応じて、様々な見た目のパターンを表すことができるため、使用する際の面白みが増す。
【００４０】
ここで、第２実施形態の第１の図面２、第２の図面３及び各連続図面４の全体のパターンは線で表示し、使用者が着色することができる上、空白部分に絵を描いたり、セグメント、貼紙などを貼り、インタラクティブ性を高め、使用者は完成した本考案の特殊性をさらに際立たせ、取り付け環境（例えば、壁面の色、窓枠の色など）に応じて変化させてもよい。また、第１の面体１３、第２の面体１４及び各接続面体１５は、異なる材質の生地により組み合わされ、全体の視覚効果が幅広くなり、その材料には半透明又は透明のビニールが用いられ、実際に使用する際、スクリーン１の内端面１２に非透明材料により表された部位が上下逆さまのパターンに描かれ、一旦束ねられると、上下逆さまのパターンが正面に成形されるとともに、透明又は半透明の材料が内端面１２のパターンに重ねられるため変化に富み、ビニールの材料には、水性ペン（例えばホワイトボードマーカー）で自由に書き込むことができるため、書き易い上、何時でも消して内容を書き換えることができる。
【００４１】
最後に、本考案の関連した組み合わせ図形を有するスクリーン構造は、スクリーン１を複数のブロックに区分けし、最上端のブロックが第１の面体１３に画成され、最底端のブロックには第２の面体１４が画成される。その中段部分のブロックは各接続面体１５を有し、スクリーン１が区分けされて形成された第１の面体１３、第２の面体１４及び各接続面体１５が折り畳まれて互いに積層され、スクリーン１を重ねて束ねることができる。スクリーン１には、パターンが成形されるとともに、第１の図面２、第２の図面３及び各連続図面４に区分けされ、各重ね合わせユニット５を第１の面体１３、第２の面体１４、各接続面体１５間に設け、折り畳んで重ねるときに固定するために用い、必要に応じて積層し、第１の図面２全体により所定パターンを成形する。第２の図面３は、第１の図面２の所定のパターンに応じて、スクリーン１の下縁に関連性のあるパターンを成形するとともに、各連続図面４を互いに関連させて接続させる。各連続図面４は、第１の図面２と関連性のあるパターンを成形する。各連続図面４は、第２の図面３と関連性のあるパターンを成形し、折り畳んで重ねるときに、各パターンの組み合わせには関連性がある。このように、本考案は、折り畳んで重ねて束ねるカーテンスクリーンを提供し、異なる積層状態のスクリーン１は、スクリーン１のパターンの一部を遮蔽し、遮蔽されていない部分のパターンの組み合わせには関連性があり、スクリーン１のパターンを折り畳んで束ねてもその露出されたパターンには依然として関連性があるため、連続した視覚効果が得られる。
【符号の説明】
【００４２】
１  スクリーン
２  第１の図面
３  第２の図面
４  連続図面
５  重ね合わせユニット
６  第３の図面
１１  外端面
１２  内端面
１３  第１の面体
１４  第２の面体
１５  接続面体
５１  結合端
５２  合わせ端
１３１  取付け領域
１４１  引っ張り部
【図１】
0003215997.tif 000003
【図２】
0003215997.tif 000004
【図３】
0003215997.tif 000005
【図４】
0003215997.tif 000006
【図５】
0003215997.tif 000007
【図６】
0003215997.tif 000008
【図７】
0003215997.tif 000009
【図８】
0003215997.tif 000010
【図９】
0003215997.tif 000011